(57)【要約】【課題】絞りの動作状態と、絞り開口に対するフィルタの進退とを連動させることができ、絞り開口を通過する光の透過量を細かく調整することができるとともに、最大絞り時において十分な光量が確保できること。【解決手段】下側絞り羽根３と、上側絞り羽根４は、入射光の光軸に対し近接または離れる方向に移動して光通過光２４に形成される絞り開口（開口領域）の大きさを調整する。下側絞り羽根３と、上側絞り羽根４には、それぞれ下側光学フィルタ２と、上側光学フィルタ５が取り付けられており、下側絞り羽根３と、上側絞り羽根４の移動に連動して回動しながら徐々に開口領域方向に進退する。【選択図】      図１
2004205557.tif 000002
【特許請求の範囲】
【請求項１】
２枚の絞り羽根を備え、該２枚の絞り羽根が入射光の光軸に対し互いに近接または離れる方向に移動して絞り開口の大きさを変える光量調節装置であって、
前記２枚の絞り羽根のうちの少なくとも１枚には、該絞り羽根の移動に連動して前記絞り開口の方向に進退自在な所定の光透過特性を有する光学フィルタを備えたことを特徴とする光量調節装置。
【請求項２】
前記光学フィルタは、
前記絞り羽根に取り付けられ、前記絞り開口に進退する部分が切欠部とされた駆動羽根と、
前記駆動羽根の前記切欠部に設けられ、前記絞り開口に面し所定の光透過特性を有するフィルタ板と、
からなることを特徴とする請求項１に記載の光量調節装置。
【請求項３】
前記光学フィルタに形成されたカム穴と、
移動する前記絞り羽根を保持する保持手段に設けられ、前記光学フィルタを固定位置で軸支する回転軸と、
移動する前記絞り羽根に設けられ、前記カム穴に係合する駆動軸とを備え、
前記絞り羽根の移動に連動して前記光学フィルタが前記回転軸を中心に回動し、前記絞り開口の方向に進退自在なことを特徴とする請求項１または２に記載の光量調節装置。
【請求項４】
前記光学フィルタは、前記光軸に対し２枚が点対称に配置され、該２枚の光学フィルタは、点対称の状態を保持しながら前記絞り開口の方向に進退自在なことを特徴とする請求項１〜３のいずれか一つに記載の光量調節装置。
【請求項５】
前記光学フィルタは、前記光軸に対し２枚が互いに点対称に配置され、該２枚の光学フィルタは、前記絞り開口の方向に進退する過程で点対称の状態と非点対称の状態とを有することを特徴とする請求項１〜３のいずれか一つに記載の光量調節装置。
【請求項６】
前記光学フィルタは、前記絞り羽根の移動範囲内で前記進退移動可能な形状であることを特徴とする請求項１〜５のいずれか一つに記載の光量調節装置。
【請求項７】
２枚の前記光学フィルタは、大きさが変わる前記絞り開口の領域内の一部または全部で互いに重なり合うことを特徴とする請求項１〜６のいずれか一つに記載の光量調節装置。
【請求項８】
前記光学フィルタは、ＮＤフィルタであることを特徴とする請求項１〜７のいずれか一つに記載の光量調節装置。
【請求項９】
前記光学フィルタは、近赤外カットフィルタ（ＮＩＲ）であることを特徴とする請求項１〜７のいずれか一つに記載の光量調節装置。
【発明の詳細な説明】
【０００１】
【発明の属する技術分野】
本発明は、ビデオカメラ等の撮像装置の光学系に使用される光量調節装置に関する。
【０００２】
【従来の技術】
ビデオカメラ等の撮像装置の光学系に使用される、従来の光量調節装置としては、光量調節を行う際に、光の回折による解像度の劣化の低減を考慮し、ＮＤフィルタや絞り羽根を動作させるようにしたものがある（例えば、特許文献１参照）。この装置では、被写体の照度が低照度、中照度、高照度と変化するごとに、絞り羽根とＮＤフィルタをそれぞれ独立に駆動させて光量調節を行っている。また、２枚の絞り羽根にＮＤフィルタが取り付けられ、そのＮＤフィルタを光軸の中心から放射方向外側へ向かうにつれて光の透過率が低くなるように構成されたものがある（例えば、特許文献２参照）。さらに、光軸に直交する面上を絞り羽根が互いに離れる方向に移動することにより絞り開口を形成し、１枚の絞り羽根に少なくとも２段階の光の透過率を有するＮＤフィルタが取り付けられた装置もある（例えば、特許文献３参照）。
【０００３】
【特許文献１】
特開２００２−１４３８４号公報
【特許文献２】
特開平８−４３８７８号公報
【特許文献３】
特開２００１−２７２７０９号公報
【０００４】
【発明が解決しようとする課題】
しかしながら、特許文献１〜３に開示された装置においては、絞り羽根の最大絞り（最大開口）時でも光路中にＮＤフィルタの一部分が残るようになっているため、最大絞り時であっても開口を通過する光がＮＤフィルタの影響を受け、十分な光量を確保することができない。
【０００５】
また、特許文献３に開示された装置では、絞り羽根の開閉機構がＮＤフィルタの移動枠機構と同じ方向（上下方向）に移動するように構成されている。しかも、絞りとＮＤフィルタが２段階に上下方向へ駆動するようになっているため、装置が上下方向に長くなり大型化を招いている。また、絞り羽根の開閉機構とＮＤフィルタの移動枠機構とが異なる駆動モータで駆動され、それぞれの駆動モータが装置の前後に配置されていることから、装置が前後方向にも大きくなっている。
【０００６】
本発明は、上記の問題点に鑑みてなされたものであり、絞りの動作状態と、絞り開口に対するフィルタの進退とを連動させることができ、絞り開口を通過する光の透過量を細かく調整することができるとともに、最大絞り時において十分な光量が確保できる光量調節装置を提供することを目的としている。
【０００７】
【課題を解決するための手段】
上記目的を達成するため、本発明の請求項１にかかる光量調節装置は、２枚の絞り羽根を備え、該２枚の絞り羽根が入射光の光軸に対し互いに近接または離れる方向に移動して絞り開口の大きさを変える光量調節装置であって、前記２枚の絞り羽根のうちの少なくとも１枚には、該絞り羽根の移動に連動して前記絞り開口の方向に進退自在な所定の光透過特性を有する光学フィルタを備えたことを特徴とする。
【０００８】
この請求項１に記載の発明によれば、絞り羽根の絞り動作と連動して光学フィルタが絞り開口の方向に進退する。絞り羽根を１つの動力源のみで駆動でき、絞り開口の大きさを変化させつつ、この変化する絞り開口に占めるフィルタの割合を変化させることができる。
【０００９】
また、請求項２にかかる光量調節装置は、請求項１に記載の発明において、前記光学フィルタは、前記絞り羽根に取り付けられ、前記絞り開口に進退する部分が切欠部とされた駆動羽根と、前記駆動羽根の前記切欠部に設けられ、前記絞り開口に面し所定の光透過特性を有するフィルタ板とからなることを特徴とする。
【００１０】
この請求項２に記載の発明によれば、絞り開口に対し進退する駆動羽根と、光の通過部分に設けたフィルタ板により光学フィルタを形成したので、駆動羽根の機構動作の安定化が図れ、かつ、フィルタ板の大きさを必要最小限に抑え、比較的高価なフィルタを安価に用いることができる。
【００１１】
また、請求項３にかかる光量調節装置は、請求項１または２に記載の発明において、前記光学フィルタに形成されたカム穴と、移動する前記絞り羽根を保持する保持手段に設けられ、前記光学フィルタを固定位置で軸支する回転軸と、移動する前記絞り羽根に設けられ、前記カム穴に係合する駆動軸とを備え、前記絞り羽根の移動に連動して前記光学フィルタが前記回転軸を中心に回動し、前記絞り開口の方向に進退自在なことを特徴とする。
【００１２】
この請求項３に記載の発明によれば、絞り羽根と光学フィルタとを簡単な機構で連動させることができる。また、カム形状を変更するだけで、絞り開口に対する光学フィルタの進退時の移動量を容易に変更できるようになる。
【００１３】
また、請求項４にかかる光量調節装置は、請求項１〜３のいずれか一つに記載の発明において、前記光学フィルタは、前記光軸に対し２枚が点対称に配置され、該２枚の光学フィルタは、点対称の状態を保持しながら前記絞り開口の方向に進退自在なことを特徴とする。
【００１４】
この請求項４に記載の発明によれば、絞り開口に対し進退する２枚の光学フィルタ、および機構を対称配置によりいずれも簡単に構成できるようになる。
【００１５】
また、請求項５にかかる光量調節装置は、請求項１〜３のいずれか一つに記載の発明において、前記光学フィルタは、前記光軸に対し２枚が互いに点対称に配置され、該２枚の光学フィルタは、前記絞り開口の方向に進退する過程で点対称の状態と非点対称の状態とを有することを特徴とする。
【００１６】
この請求項５に記載の発明によれば、変化する絞り開口の大きさに対し、絞り開口に進退する光学フィルタが占める割合を変化させることができ、変化する絞り開口の大きさに占める光学フィルタの割合を細かく設定できるようになる。
【００１７】
また、請求項６にかかる光量調節装置は、請求項１〜５のいずれか一つに記載の発明において、前記光学フィルタは、前記絞り羽根の移動範囲内で前記進退移動可能な形状であることを特徴とする。
【００１８】
この請求項６に記載の発明によれば、各光学フィルタは絞り羽根の移動領域内で移動するため、装置の上下方向の大きさは前記各絞り羽根が移動可能なスペースだけでよく、装置の小型化が図れる。
【００１９】
また、請求項７にかかる光量調節装置は、請求項１〜６のいずれか一つに記載の発明において、２枚の前記光学フィルタは、大きさが変わる前記絞り開口の領域内の一部または全部で互いに重なり合うことを特徴とする。
【００２０】
この請求項７に記載の発明によれば、変化する絞り開口の大きさに占める光学フィルタの重なり状態を変えて光の透過率をより変化させることができるようになる。特に、中間絞りから最小絞りにかけての状態で光学フィルタを重ね、光の透過率を低くすることにより、シェーディングの発生を抑制できるようになる。
【００２１】
また、請求項８にかかる光量調節装置は、請求項１〜７のいずれか一つに記載の発明において、前記光学フィルタは、ＮＤフィルタであることを特徴とする。
【００２２】
この請求項８に記載の発明によれば、絞り開口を通過する光の透過率を波長全域に渡りほぼ均一に低減でき、シェーディング抑制を良好におこなえるようになる。
【００２３】
また、請求項９にかかる光量調節装置は、請求項１〜７のいずれか一つに記載の発明において、前記光学フィルタは、近赤外カットフィルタ（ＮＩＲ）であることを特徴とする。
【００２４】
この請求項９に記載の発明によれば、絞り開口を通過する光の透過率を赤外波長で容易にカットできるようになる。
【００２５】
【発明の実施の形態】
以下、この発明の光量調節装置の各実施形態を詳細に説明する。本発明の光量調節装置は、光軸に直交する面上を絞り羽根および光学フィルタが移動することにより開口領域（絞り開口）を変化させるものである。また、以下の説明において、各部材の方向を示す場合は、光量調節装置を前方の物体側から見た状態を想定して記載してある。
【００２６】
（実施の形態１）
図１は、本発明の実施の形態１にかかる光量調節装置の構成を示す分解斜視図である。実施の形態１の光量調節装置は、絞りホルダ１と、下側光学フィルタ２と、下側絞り羽根３と、上側絞り羽根４と、上側光学フィルタ５と、駆動モータ２８と、駆動手段２９とを備えて構成されている。
【００２７】
絞りホルダ１の略中央部から上方寄りの位置には、略円形の光通過孔２４が形成されている。絞りホルダ１の下方には、駆動モータ２８を取り付けるための駆動取付部２３が設けられている。駆動取付部２３には、略円形の駆動モータ取付部２７が形成されている。また、光通過孔２４の両側には２つの回転軸（羽根ガイドピン）２５ａ，２５ｂが図中前方（物体側）へ突出形成されている。駆動取付部２３の上方の左右両側には、２つの羽根ガイドピン２６ａ，２６ｂが物体側へ突出形成されている。
【００２８】
下側光学フィルタ２は、所定の光透過特性を有するＮＤフィルタにより形成され、略弓状をなし、光通過孔２４の径にほぼ一致した内縁部２ａを有している。また、この下側光学フィルタ２の略中央部には円弧状に切り欠かれたカム穴６ａが形成され、上端部には回転中心穴７が形成されている。
【００２９】
下側絞り羽根３は、下方の略右半分が切り欠かれた形状で、上方には光通過孔２４の径にほぼ等しい略半円形状の開口形成部８が形成されている。この開口形成部８は、両側部が下方に行くにしたがってはじめは滑らかに円形状をなし、中央部付近は途中から急激にその幅が狭くなり最下淵部８ａが下に凸形状になっている。
【００３０】
また、下側絞り羽根３の左端には、上下に長い直進ガイド穴９ａ，９ｂが形成されている。直進ガイド穴９ａ，９ｂは大きさ、形状とも同一であり、直進ガイド穴９ｂは、直進ガイド穴９ａの直下に形成されている。直進ガイド穴９ｂの下側であり、下側絞り羽根３の下端部には、左右方向に長い回転連結穴１０が形成されている。一方、下側絞り羽根３の右端にも上下に長い直進ガイド穴１１が形成されている。直進ガイド穴１１は、大きさ、形状とも直進ガイド穴９ａと同一であるが、下側絞り羽根３の中心線に対し直進ガイド穴９ａと線対称の位置にある。直進ガイド穴１１の左側には、駆動軸１２ａが前方（物体側）へ突出形成されている。
【００３１】
上側絞り羽根４は、下方の略左半分が切り欠かれた形状で、中心付近に光通過孔２４の径にほぼ等しい略半円形状の開口形成部１３が形成されている。この開口形成部１３は、両側部が上方に行くにしたがってはじめは滑らかに円形状をなし、中央部付近は途中から急激にその幅が狭くなり最上淵部１３ａが上に凸形状になっている。
【００３２】
また、上側絞り羽根４の右端には、上下に長い直進ガイド穴１５ａ，１５ｂが形成されている。直進ガイド穴１５ａ，１５ｂは大きさ、形状とも同一であり、直進ガイド穴１５ｂは直進ガイド穴１５ａの直下に形成されている。上側絞り羽根４の下端であり、直進ガイド穴１５ｂの下側には、左右方向に長い回転連結穴１７が形成されている。一方、上側絞り羽根４の左端にも上下に長い直進ガイド穴１４が形成されている。直進ガイド穴１４は、大きさ、形状とも直進ガイド穴１５ａと同一であるが、上側絞り羽根４の中心線に対し直進ガイド穴１５ａと線対称の位置にある。この直進ガイド穴１４の右側には、駆動軸１６ａが後方（像側）へ突出形成されている。
【００３３】
上側光学フィルタ５は、所定の光透過特性を有するＮＤフィルタにより形成され、略弓状をなし、光通過孔２４の径にほぼ一致した内縁部５ａを有している。また、この上側光学フィルタ５には、略中央部に円弧状に切り欠かれたカム穴１８ａと、下端部に回転中心穴１９が形成されている。なお、この上側光学フィルタ５は、下側光学フィルタ２と同形状であり、光の透過率も等しい。また、カム穴１８ａと、回転中心穴１９の大きさ、形状、形成される位置についても、カム穴６ａと、回転中心穴７と同様である。
【００３４】
下側光学フィルタ２と、下側絞り羽根３と、上側絞り羽根４と、上側光学フィルタ５の材質には、光を遮断する薄いフィルムが用いられる。
【００３５】
駆動手段２９は、中心の回転レバー２０と、この回転レバー２０から水平に延びるアーム２１と、アーム２１の左右両先端部にそれぞれ設けられた左側連結ピン２２ａ、右側連結ピン２２ｂとで構成されている。なお、左側連結ピン２２ａ、右側連結ピン２２ｂは、ともに前方（物体側）に突出した形状を有する。
【００３６】
この光量調節装置は、図示しない物体側（図の左側）から順に、下側光学フィルタ２，下側絞り羽根３，上側絞り羽根４，上側光学フィルタ５が配置されている。
【００３７】
図１を用いて組み立て状態を説明する。下側絞り羽根３に設けられた駆動軸１２ａに対し、下側光学フィルタ２のカム穴６ａを嵌め込む。また、上側絞り羽根４に設けられた駆動軸１６ａに対し、上側光学フィルタ５のカム穴１８ａを嵌め込む。次に、絞りホルダ１の回転軸２５ａに対し、上側光学フィルタ５の回転中心穴１９を嵌合させ、さらに上側絞り羽根４の直進ガイド穴１４と、下側絞り羽根３の直進ガイド穴９ａを嵌め込む。
【００３８】
また、絞りホルダ１の回転軸２５ｂに対し、上側絞り羽根４の直進ガイド穴１５ａと、下側絞り羽根３の直進ガイド穴１１を嵌め込み、さらに下側光学フィルタ２の回転中心穴７を嵌合させる。絞りホルダ１の羽根ガイドピン２６ａに対し、下側絞り羽根３の直進ガイド穴９ｂを嵌め込む。絞りホルダ１の羽根ガイドピン２６ｂに対し、上側絞り羽根４の直進ガイド穴１５ｂを嵌め込む。これにより、下側光学フィルタ２と上側光学フィルタ５は、絞りホルダ１の光通過孔２４の中心（光軸）に対して点対称の位置に配置されている。
【００３９】
さらに、駆動取付部２３の後方（像側）からこの駆動取付部２３に形成された駆動モータ取付部２７に駆動モータ２８を取り付ける。そして、駆動モータ２８の回転軸２８ａを駆動手段２９の回転レバー２０に取り付ける。駆動手段２９のアーム２１の両先端部に設けられた左側連結ピン２２ａと、右側連結ピン２２ｂを、それぞれ下側絞り羽根３の回転連結穴１０と、上側絞り羽根４の回転連結穴１７に嵌め込む。左側連結ピン２２ａ、右側連結ピン２２ｂは、それぞれ回転連結穴１０、回転連結穴１７に対し摺動自在となる。
【００４０】
次に、上記構成による絞り動作を説明する。駆動モータ２８を駆動（回転）すると、駆動手段２９のアーム２１が揺動する。このとき、アーム２１の左側連結ピン２２ａと右側連結ピン２２ｂとは互いに上下反対の方向へ移動するので、それにより、下側絞り羽根３と上側絞り羽根４とが互いに上下反対の方向へ移動する。これに伴い、下側絞り羽根３と、上側絞り羽根４にそれぞれ取り付けられている下側光学フィルタ２と、上側光学フィルタ５も上下反対の方向に移動する。
【００４１】
このとき、上側光学フィルタ５に形成されたカム穴１８ａ内を上側絞り羽根４の駆動軸１６ａが摺動し、上側光学フィルタ５が回転中心穴１９を中心に回動する。同時に、下側光学フィルタ２に形成されたカム穴６ａ内を下側絞り羽根３の駆動軸１２ａが摺動し、下側光学フィルタ２が回転中心穴７を中心に回動する。下側光学フィルタ２と上側光学フィルタ５とは、光通過孔２４の中心に対し点対称である状態を保持したまま回動する。このようにして、光量調節装置の光通過孔２４部分に形成される絞り開口（以下に説明する開口領域４０）の大きさが変化する。
【００４２】
図２は、実施の形態１にかかる光量調節装置を示す正面図である。図には、最大絞り状態（絞り開放）が示されている。この最大絞り時には、図１に示した駆動手段２９のアーム２１の左側連結ピン２２ａが斜め下方に、右側連結ピン２２ｂが斜め上方に位置する。これに伴い、下側絞り羽根３がその移動範囲における下端に、上側絞り羽根４がその移動範囲における上端にそれぞれ位置する。
【００４３】
このとき、下側絞り羽根３の開口形成部８および上側絞り羽根４の開口形成部１３は、ともに絞りホルダ１の光通過孔２４とほぼ重なり、光通過孔２４内に進入しない。また、凸形状になっている、下側絞り羽根３の開口形成部８の最下淵部８ａおよび上側絞り羽根４の開口形成部１３の最上淵部１３ａは、ともに絞りホルダ１の光通過孔２４の外側に退避している。また、この最大絞り時には、下側光学フィルタ２と、上側光学フィルタ５は、ともに光通過孔２４の外側に退避するため、装置の後方に配置される撮像素子（不図示）へ導かれる光は下側光学フィルタ２と、上側光学フィルタ５の影響を受けない。下側絞り羽根３と、上側絞り羽根４の開口形成部８，１３によって形成される開口領域４０の大きさは、これら下側絞り羽根３と、上側絞り羽根４の移動によって連続的に変化する。また、下側絞り羽根３と、上側絞り羽根４の移動に連動して、この開口領域４０内には下側光学フィルタ２と、上側光学フィルタ５が進退する。
【００４４】
図３は、実施の形態１の光量調節装置の絞り動作を説明するための動作図である。図３（ａ）は、図２に示した最大絞り状態から少し絞った状態である。下側絞り羽根３および上側絞り羽根４を移動させ、下側絞り羽根３の開口形成部８の最下淵部８ａと、上側絞り羽根４の開口形成部１３の最上淵部１３ａが光通過孔２４の縁より幾分内側に位置した状態となる。このとき、下側絞り羽根３および上側絞り羽根４の移動に伴い、駆動軸１２ａ，１６ａが上下に移動する。下側絞り羽根３の開口形成部８と上側絞り羽根４の開口形成部１３とにより形成される開口領域４０は、光通過孔２４（図２参照）の縁より内側に位置し、横長な楕円形状となる。
【００４５】
また、下側光学フィルタ２および上側光学フィルタ５は、それぞれ固定位置にある絞りホルダ１（図１参照）の回転軸２５ａ，２５ｂに係合する回転中心穴７，１９に対し、下側絞り羽根３および上側絞り羽根４に設けられた駆動軸１２ａ，１６ａが上下に移動する。このため、駆動軸１２ａ，１６ａは係合するカム穴６ａ，１８ａ内で上下方向に移動し、下側光学フィルタ２および上側光学フィルタ５は、回転中心穴７，１９を中心として光通過孔２４に向かって回動する。そして、開口形成部８の最下淵部８ａを下側光学フィルタ２の一部分が覆い、開口形成部１３の最上淵部１３ａを上側光学フィルタ５の一部分がそれぞれ覆う状態になる。
【００４６】
図３（ｂ）は、（ａ）の状態からさらに下側絞り羽根３および上側絞り羽根４を移動させた中間絞りの状態である。下側絞り羽根３の開口形成部８と上側絞り羽根４の開口形成部１３とにより形成される開口領域４０が略ひし形の状態となる。この状態では、開口領域４０は、完全に光通過孔２４の内側に位置する。このとき、下側光学フィルタ２と上側光学フィルタ５は、ともにその一部分が開口形成部８，１３によって形成された略ひし形の内側の約１／２を覆い、残る約１／２が光を素通しする状態になる。
【００４７】
図３（ｃ）は、（ｂ）の状態からさらに下側絞り羽根３および上側絞り羽根４を移動させた絞り状態である。光通過孔２４の領域内で下側絞り羽根３の開口形成部８と上側絞り羽根４の開口形成部１３とにより形成される略ひし形の開口領域４０がさらに小さな状態となる。この状態では、開口領域４０内で下側光学フィルタ２と上側光学フィルタ５とが重なり合い、光の素通し部分がなくなる。ただし、開口領域４０内のすべての領域で下側光学フィルタ２と上側光学フィルタ５が重なり合っているわけではないため、開口領域４０内に光の透過率が異なる部分が形成されることになる。図示のように、開口領域４０の中央部付近が光の透過率が低くなり、その周辺部が光の透過率が高くなる。
【００４８】
図３（ｄ）は、最小絞り状態を示す図である。このとき、図１に示した駆動手段２９のアーム２１の左側連結ピン２２ａが斜め上方に、右側連結ピン２２ｂが斜め下方に位置する。これに伴い、下側絞り羽根３がその移動範囲における上端に、上側絞り羽根４がその移動範囲における下端にそれぞれ位置する。この状態では、開口領域４０は光通過孔２４の中心付近に位置し、最も小さな略ひし形となる。この状態では、開口領域４０内のすべてで下側光学フィルタ２と上側光学フィルタ５とが重なり合っている。したがって、光の透過率がかなり低くなる。この状態は、撮影しようとする物体の照度が極めて高い場合を想定したもので、撮像素子の結像面においていわゆる「ケラレ」の発生を抑制することができる。
【００４９】
以上のように、実施の形態１の光量調節装置では、最大絞り状態において、下側光学フィルタ２および上側光学フィルタ５が光路である光通過孔２４に進入することがなく、十分な光量を確保できる。また、この装置では、これら下側光学フィルタ２と上側光学フィルタ５が光軸に対して点対称の関係を保持しながら回動するため、光通過孔２４に対しこれら下側光学フィルタ２と上側光学フィルタ５の移動を連続（定量化）でき、光通過孔２４を通過する光量の制御を絞り量にあわせて連続的に行えるようになる。
【００５０】
また、実施の形態１の光量調節装置では、最小絞り状態に近づくにつれて、下側光学フィルタ２と上側光学フィルタ５が重なる領域の割合を増加させることができる。したがって、特に中間絞りから最小絞り状態にかけて発生するシェーディングの抑制効果を得ることができる。
【００５１】
また、実施の形態１の光量調節装置では、２枚の光学フィルタ（下側光学フィルタ２，上側光学フィルタ５）が絞り羽根（下側絞り羽根３，上側絞り羽根４）と連動して駆動するようになっているため、それらを駆動するための動力源が１つの駆動モータのみで足りる。したがって、動力源を配置するためのスペースは最小限でよい。さらに、各光学フィルタの移動領域が各絞り羽根の移動領域内にある。したがって、装置の上下方向は各絞り羽根が移動可能なスペースが確保できればよいため、装置の小型化を達成できる。
【００５２】
（実施の形態２）
図４は、本発明の実施の形態２にかかる光量調節装置を示す正面図である。図には、上下の光学フィルタを非対称に駆動する光量調節装置の構成例を示した。下側絞り羽根３および上側絞り羽根４の形状は、実施の形態１の構成と同様である。下側光学フィルタ２と上側光学フィルタ５は、同一の形状を上下対称に配置してなる。しかし、下側光学フィルタ２に形成されるカム穴６ａと、上側光学フィルタ５に形成されるカム穴１８ａは、互いにカム形状が異なる。下側光学フィルタ２に形成されるカム穴６ａは、略Ｊ字状であり、上側光学フィルタ５に形成されるカム穴１８ａは、略Ｓ字状に形成されている。
【００５３】
図には、最大絞り状態（絞り開放）が示されている。この状態で、下側光学フィルタ２と上側光学フィルタ５はいずれも光通過孔２４の外側に退避しており、装置の後方に配置される撮像素子（不図示）へ導かれる光は下側光学フィルタ２と、上側光学フィルタ５の影響を受けない。
【００５４】
図５は、実施の形態２の光量調節装置の絞り動作を説明するための動作図である。図５（ａ）は、図４に示す最大絞り状態から少し絞った状態である。下側絞り羽根３および上側絞り羽根４を移動させ、下側絞り羽根３の開口形成部８の最下淵部８ａと、上側絞り羽根４の開口形成部１３の最上淵部１３ａが光通過孔２４の縁より幾分内側に位置した状態となる。このとき、駆動軸１２ａはカム穴６ａの斜め部分に位置するため、下側光学フィルタ２が光通過孔２４内に一部入る。一方、駆動軸１６ａはカム穴１８ａの上下部分に位置するため、上側光学フィルタ５はまだ光通過孔２４に進入せず外部に待避している。
【００５５】
図５（ｂ）は、（ａ）の状態からさらに下側絞り羽根３および上側絞り羽根４を移動させた中間絞り状態である。この状態で、下側光学フィルタ２は下側絞り羽根３の移動量にあわせて光通過孔２４内への進入量を増やしていく。そして、上側光学フィルタ５は、駆動軸１６ａがカム穴１８ａの円弧部分に位置し、光通過孔２４内に進入をはじめる。このとき、下側光学フィルタ２と上側光学フィルタ５は、その一部分が開口形成部８，１３によって形成された略ひし形の内側の約１／２を覆い、残る約１／２が光を素通しする状態になる。図に示す状態では、図５（ｂ）に示した中間絞りの状態と比較して、光通過孔２４に対する進入の割合は、下側光学フィルタ２側が多く、上側光学フィルタ５が少ないことがわかる。
【００５６】
図５（ｃ）は、（ｂ）の状態からさらに下側絞り羽根３および上側絞り羽根４を移動させた絞り状態である。この状態で略ひし形の開口領域４０がさらに小さくなり、開口領域４０内で下側光学フィルタ２と上側光学フィルタ５とが重なり合い、光の素通し部分がなくなる。ただし、開口領域４０内のすべての領域で下側光学フィルタ２と上側光学フィルタ５が重なり合うわけではなく、開口領域４０内において上側光学フィルタ５のみの個所を形成し、開口領域４０内に光の透過率が異なる部分が形成される。図示のように、開口領域４０の斜め右上のひし形部分が光の透過率が低くなり、斜め左下のひし形部分が光の透過率が高くなる。
【００５７】
図５（ｄ）は、最小絞り状態を示す図である。この状態では、開口領域４０は光通過孔２４の中心付近に位置し、最も小さな略ひし形となる。この状態では、開口領域４０内のすべてで下側光学フィルタ２と上側光学フィルタ５とが重なり合っているため、開口領域４０の大きさに占める光の透過率も最も低くなる。この状態は、撮影しようとする物体の照度が極めて高い場合を想定したもので、撮像素子の結像面においていわゆる「ケラレ」の発生を抑制することができる。
【００５８】
このように、実施の形態２の光量調節装置によれば、上側光学フィルタ５と下側光学フィルタ２に形成するカム穴の形状を異なる形状にするだけで、簡単に光通過孔２４内に移動する上側光学フィルタ５と下側光学フィルタ２の移動量を互いに異なり、非対称な状態で移動させることができる。下側光学フィルタ２と上側光学フィルタ５との駆動を非対称にすれば、光学フィルタ端面における光の反射を原因として発生するフレアによる悪影響をより低減できるようになる。
【００５９】
（実施の形態３）
図６は、本発明の実施の形態３にかかる光量調節装置の構成を示す分解斜視図である。実施の形態３の光量調節装置は、絞りホルダ１と、下側駆動羽根３０と、下側絞り羽根３と、上側絞り羽根４と、上側駆動羽根３１と、駆動モータ２８と、駆動手段２９とを備えて構成されている。
【００６０】
絞りホルダ１と、駆動モータ２８と、駆動手段２９は実施の形態１の装置に用いられるものと同様である。また、下側絞り羽根３と、上側絞り羽根４も駆動軸１２ｂ，１６ｂが形成される位置が異なることを除き、実施の形態１の装置に用いられるものと同様の構成である。駆動軸１２ｂは、下側絞り羽根３の直進ガイド穴１１の最下部近傍の左側に形成されている。また、駆動軸１６ｂは、上側絞り羽根４の直進ガイド穴１４の最上部近傍の右側に形成されている。
【００６１】
下側駆動羽根３０は、光を遮断する比較的薄いフィルムにより形成されており、その先端部付近のくの字形状を有する内縁部３０ａ部分に略扇形状の光学フィルタ（ＮＤフィルタ）３２が取り付けられてなる。また、この下側駆動羽根３０には、略Ｓ字形状に切り欠かれたカム穴６ｂと、回転中心穴７が形成されている。
【００６２】
上側駆動羽根３１は、比較的薄いフィルムにより形成されており、その先端部付近のくの字形状を有する内縁部３１ａ部分に略扇形状の光学フィルタ（ＮＤフィルタ）３３を備えている。また、この上側駆動羽根３１には、略Ｓ字形状に切り欠かれたカム穴１８ｂと、回転中心穴１９が形成されている。なお、この上側駆動羽根３１は、下側駆動羽根３０と同形状である。また、カム穴１８ｂと、回転中心穴１９の大きさ、形状、形成される位置についても、カム穴６ｂと、回転中心穴７と同様である。光学フィルタ３２，３３の光の透過率は同じである。このように、実施の形態３の構成は、駆動羽根のうち光通過孔２４に進退する部分にのみ対応する形状の光学フィルタ（フィルタ板）を設けた構成となっている。
【００６３】
図６を用いて組み立て状態を説明する。実施の形態３の光量調節装置は、図示しない物体側（図の左側）から順に、光学フィルタ３２を備えた下側駆動羽根３０，下側絞り羽根３，上側絞り羽根４，光学フィルタ３３を備えた上側駆動羽根３１が配置されている。
【００６４】
下側絞り羽根３に設けられた駆動軸１２ｂに対し、下側駆動羽根３０のカム穴６ｂを嵌め込む。上側絞り羽根４に設けられた駆動軸１６ｂに対し、上側駆動羽根３１のカム穴１８ｂを嵌め込む。次に、絞りホルダ１の回転軸２５ａに対し、上側駆動羽根３１の回転中心穴１９を嵌合し、さらに上側絞り羽根４の直進ガイド穴１４と、下側絞り羽根３の直進ガイド穴９ａを嵌め込む。
【００６５】
また、絞りホルダ１の回転軸２５ｂに対し、上側絞り羽根４の直進ガイド穴１５ａと、下側絞り羽根３の直進ガイド穴１１を嵌め込み、さらに下側駆動羽根３０の回転中心穴７を嵌合する。絞りホルダ１の羽根ガイドピン２６ａに対し、下側絞り羽根３の直進ガイド穴９ｂを嵌め込む。絞りホルダ１の羽根ガイドピン２６ｂに対し、上側絞り羽根４の直進ガイド穴１５ｂを嵌め込む。下側駆動羽根３０と上側駆動羽根３１は、絞りホルダ１の光通過孔２４の中心（光軸）に対して点対称の位置に配置されている。
【００６６】
さらに、駆動取付部２３の後方（像側）からこの駆動取付部２３に形成された駆動モータ取付部２７に適宜な方法で駆動モータ２８を取り付ける。そして、駆動モータ２８の回転軸２８ａを駆動手段２９の回転レバー２０に取り付ける。駆動手段２９のアーム２１の両先端部に設けられた左側連結ピン２２ａと、右側連結ピン２２ｂを、それぞれ下側絞り羽根３の回転連結穴１０と、上側絞り羽根４の回転連結穴１７に嵌め込む。左側連結ピン２２ａと、右側連結ピン２２ｂは、それぞれ回転連結穴１０と、回転連結穴１７に対し摺動自在になる。
【００６７】
次に、上記構成による絞り動作を説明する。駆動モータ２８を駆動（回転）すると、駆動手段２９のアーム２１が揺動する。このとき、アーム２１の左側連結ピン２２ａと右側連結ピン２２ｂとは互いに上下反対の方向へ移動するので、それにより、下側絞り羽根３と上側絞り羽根４とが互いに上下反対の方向に移動する。これに伴い、下側絞り羽根３と、上側絞り羽根４にそれぞれ軸着されている下側駆動羽根３０と、上側駆動羽根３１は上下反対の方向に移動する。
【００６８】
このとき、上側駆動羽根３１に形成されたカム穴１８ｂ内を上側絞り羽根４の駆動軸１６ｂが摺動し、上側駆動羽根３１が回転中心穴１９を中心に回動する。同時に、下側駆動羽根３０に形成されたカム穴６ｂ内を下側絞り羽根３の駆動軸１２ｂが摺動し、下側駆動羽根３０が回転中心穴７を中心に回動する。下側駆動羽根３０と上側駆動羽根３１とは、光通過孔２４の中心に対し点対称である状態を保持したまま回動する。このようにして、光量調節装置の開口領域４０の大きさが、後ほど説明する図８に示すように変化する。
【００６９】
図７は、実施の形態３にかかる光量調節装置を示す正面図である。図には、最大絞り状態が示されている。この最大絞り時には、図６に示した駆動手段２９のアーム２１の左側連結ピン２２ａが斜め下方に、右側連結ピン２２ｂが斜め上方に位置する。これに伴い、下側絞り羽根３がその移動範囲における下端に、上側絞り羽根４がその移動範囲における上端にそれぞれ位置する。
【００７０】
このとき、凸形状になっている、下側絞り羽根３の開口形成部８の最下淵部８ａおよび上側絞り羽根４の開口形成部１３の最上淵部１３ａは、ともに絞りホルダ１の光通過孔２４の外側に退避している。また、この最大絞り時には、下側駆動羽根３０と、上側駆動羽根３１は、ともに光通過孔２４の外側に退避している。同時に、下側駆動羽根３０に備えられた光学フィルタ３２と、上側駆動羽根３１に備えられた光学フィルタ３３も、光通過孔２４の外側にある。
【００７１】
図８は、実施の形態３の光量調節装置の絞り動作を説明するための動作図である。図８（ａ）は、図７に示した最大絞り状態から少し絞った状態である。下側絞り羽根３および上側絞り羽根４を移動させ、下側絞り羽根３の開口形成部８の最下淵部８ａと上側絞り羽根４の開口形成部１３の最上淵部１３ａが光通過孔２４の縁より幾分内側に位置した状態となる。また、この状態においては、下側駆動羽根３０と上側駆動羽根３１、およびこれらに備えられた光学フィルタ３２，３３は、下側絞り羽根３の開口形成部８と上側絞り羽根４の開口形成部１３とにより形成される開口領域４０の外側に位置している。下側駆動羽根３０と上側駆動羽根３１に設けられたカム穴６ｂ，１８ｂは、略Ｓ形状であり、この段階でガム穴６ｂ，１８ｂは、下側絞り羽根３および上側絞り羽根４が上下方向に移動する方向に沿った方向にあるため、下側駆動羽根３０と上側駆動羽根３１は図７に示す位置のままで移動しない。
【００７２】
図８（ｂ）は、（ａ）の状態からさらに下側絞り羽根３および上側絞り羽根４を移動させた中間絞り状態である。下側絞り羽根３の開口形成部８と上側絞り羽根４の開口形成部１３とにより形成される開口領域４０が略ひし形の状態となる。この状態では、開口領域４０は、光通過孔２４の内側に位置する。また、この状態では、光学フィルタ３２，３３の一部が開口領域４０内に所定量進入してくる。なお、開口領域４０において、２枚の光学フィルタ３２と光学フィルタ３３との間には、光が素通しとなる略６角形状の空間が形成されている。
【００７３】
図８（ｃ）は、（ｂ）の状態からさらに下側絞り羽根３および上側絞り羽根４を移動させた状態である。光通過孔２４の領域内で下側絞り羽根３の開口形成部８と上側絞り羽根４の開口形成部１３とにより形成される略ひし形の開口領域４０がさらに小さな状態となる。そして、この状態では、開口領域４０内で下側駆動羽根３０の光学フィルタ３２と上側駆動羽根３１の光学フィルタ３３とが重なり合い、光の素通し部分がなくなる。ただ、開口領域４０内のすべての領域で２枚の光学フィルタが重なり合っているわけではないため、開口領域４０内部に光の透過率が異なる部分が形成されることになる。図示の例では、開口領域４０の中央部付近で２枚の光学フィルタが重なり合って光の透過率が最も低くなり、その周辺部（右上および左下部分）では一方の光学フィルタのみ存在し中央部に比して光の透過率は高い。
【００７４】
図８（ｄ）は、最小絞り状態を示す図である。この状態では、図６に示した駆動手段２９のアーム２１の左側連結ピン２２ａが斜め上方に、右側連結ピン２２ｂが斜め下方に位置する。これに伴い、下側絞り羽根３がその移動範囲における上端に、上側絞り羽根４がその移動範囲における下端にそれぞれ位置する。この状態では、開口領域４０は光通過孔２４の中心付近に位置する小さい略ひし形となる。この状態では、開口領域４０内のすべての領域で光学フィルタ３２と光学フィルタ３３とが重なり合っているため、開口領域４０の大きさに占める光の透過率も最も低くなる。この状態は、撮影しようとする物体の照度が極めて高い場合を想定したもので、撮像素子の結像面においていわゆる「ケラレ」の発生を抑制することができる。
【００７５】
以上のように、実施の形態３の光量調節装置では、最大絞り状態において、光学フィルタの一部が光通過孔２４に進入せず、十分な光量を確保できる。また、この装置では、それぞれ光学フィルタ３２，３３を備えた下側駆動羽根３０，上側駆動羽根３１が光軸に対して点対称の関係を保持しながら回動するため、開口領域４０内における光学フィルタ３２，３３の移動量が定量的になり、開口領域４０を通過する光量の制御が容易になる。
【００７６】
また、実施の形態３の光量調節装置では、最小絞り状態に近づくにつれて２枚の光学フィルタが重なる領域の割合が増加する。したがって、特に中間絞りから最小絞り状態にかけて発生するシェーディングの抑制効果を奏する。
【００７７】
また、実施の形態３の光量調節装置では、光学フィルタを備えた駆動羽根が絞り羽根と連動して駆動するようになっているため、それらを駆動するための動力源が１つの駆動モータのみで足りる。したがって、動力源を配置するためのスペースは最小限でよい。さらに、各光学フィルタを備えた駆動羽根の移動領域が各絞り羽根の移動領域内にある。したがって、装置の上下方向は各絞り羽根が移動可能なスペースが確保できればよいため、装置の小型化を達成できる。なお、実施の形態３においても、実施の形態２で説明したと同様に、下側駆動羽根３０と上側駆動羽根３１に形成するカム形状を異ならせることにより、光学フィルタ３２，３３を非対称に駆動できることは云うまでもない。
【００７８】
（実施の形態４）
実施の形態４は、１枚の光学フィルタ（赤外カットフィルタ）を備えた光量調節装置の例を示すものである。図９は、本発明の実施の形態４にかかる光量調節装置の構成を示す分解斜視図である。実施の形態４の光量調節装置は、絞りホルダ１と、光学フィルタ３４と、下側絞り羽根３と、上側絞り羽根４と、駆動モータ２８と、駆動手段２９を備えて構成されている。
【００７９】
絞りホルダ１と、駆動モータ２８と、駆動手段２９は、前述した各実施の形態と同様である。下側絞り羽根３は、実施の形態３の装置に用いられるものと同様である。また、上側絞り羽根４も駆動軸が形成されないことを除き、各実施の形態の装置に用いられるものと同様の構成である。
【００８０】
光学フィルタ３４は、比較的薄いフィルムにより形成されており、ＮＩＲ（近赤外）カットフィルタの機能を備えている。この光学フィルタ３４は、略弓状をなし、光通過孔２４の径にほぼ一致した内縁部３４ａを有している。また、この光学フィルタ３４には、略円弧形状に切り欠かれたカム穴６ｃと、回転中心穴７が形成されている。カム穴６ｃは、両端位置（図の横方向）の高低差が比較的小さく形成されている。
【００８１】
図９を用いて組み立て状態を説明する。実施の形態４の光量調節装置は、図示しない物体側（図の左側）から順に、光学フィルタ３４，下側絞り羽根３，上側絞り羽根４が配置される。まず、下側絞り羽根３に設けられた駆動軸１２ｂに対し、光学フィルタ３４のカム穴６ｃを嵌め込む。
【００８２】
また、絞りホルダ１の回転軸２５ａに対し、上側絞り羽根４の直進ガイド穴１４と、下側絞り羽根３の直進ガイド穴９ａを嵌め込む。また、絞りホルダ１の回転軸２５ｂに対し、上側絞り羽根４の直進ガイド穴１５ａと、下側絞り羽根３の直進ガイド穴１１を嵌め込み、さらに光学フィルタ３４の回転中心穴７を嵌合させる。絞りホルダ１の羽根ガイドピン２６ａに対し、下側絞り羽根３の直進ガイド穴９ｂを嵌め込む。絞りホルダ１の羽根ガイドピン２６ｂに対し、上側絞り羽根４の直進ガイド穴１５ｂを嵌め込む。
【００８３】
さらに、駆動取付部２３の後方（像側）からこの駆動取付部２３に形成された駆動モータ取付部２７に適宜な方法で駆動モータ２８を取り付ける。そして、駆動モータ２８の回転軸２８ａを駆動手段２９の回転レバー２０に取り付ける。駆動手段２９のアーム２１の両先端部に設けられた左側連結ピン２２ａと、右側連結ピン２２ｂを、それぞれ下側絞り羽根３の回転連結穴１０と、上側絞り羽根４の回転連結穴１７に嵌め込む。左側連結ピン２２ａと、右側連結ピン２２ｂは、それぞれ回転連結穴１０と、回転連結穴１７に対し摺動自在になる。
【００８４】
次に、上記構成による絞り動作を説明する。駆動モータ２８を駆動（回転）すると、駆動手段２９のアーム２１が揺動する。このとき、アーム２１の左側連結ピン２２ａと右側連結ピン２２ｂとは互いに上下反対の方向へ移動するので、それにより、下側絞り羽根３と上側絞り羽根４とが互いに上下反対の方向に移動する。これに伴い、光学フィルタ３４も上下方向に移動する。この結果、光学フィルタ３４に形成されたカム穴６ｃ内を下側絞り羽根３の駆動軸１２ｂが摺動し、光学フィルタ３４が回転中心穴７を中心に回動する。このようにして、実施の形態４の光量調節装置の開口領域４０の大きさが、後ほど説明する図１１に示すように変化する。
【００８５】
図１０は、実施の形態４にかかる光量調節装置を示す正面図である。図には、最大絞り状態（絞り開放）が示されている。この最大絞り時には、図９に示した駆動手段２９のアーム２１の左側連結ピン２２ａが斜め下方に、右側連結ピン２２ｂが斜め上方に位置する。これに伴い、下側絞り羽根３がその移動範囲における下端に、上側絞り羽根４がその移動範囲における上端にそれぞれ位置する。
【００８６】
このとき、凸形状になっている、下側絞り羽根３の開口形成部８の最下淵部８ａおよび上側絞り羽根４の開口形成部１３の最上淵部１３ａは、ともに絞りホルダ１の光通過孔２４の外側に退避している。また、この最大絞り時には、光学フィルタ３４は光通過孔２４の外側に退避している。
【００８７】
図１１は、実施の形態４の光量調節装置の絞り動作を説明するための動作図である。図１１（ａ）は、図１０に示した最大絞り状態から少し絞った状態である。下側絞り羽根３および上側絞り羽根４を移動させ、下側絞り羽根３の開口形成部８の最下淵部８ａ近傍と、上側絞り羽根４の開口形成部１３の最上淵部１３ａ近傍が光通過孔２４の縁より幾分内側に位置した状態を示す。また、光学フィルタ３４は、下側絞り羽根３の開口形成部８と上側絞り羽根４の開口形成部１３とにより形成される開口領域４０の外側に位置している。すなわち、駆動軸１２ｂは、係合するカム穴６ｃがほぼ上下方向に向いているため、このカム穴６ｃ内でほぼ上下方向に移動するため、光学フィルタ３４は光通過孔２４に向かう移動量が少ない状態である。
【００８８】
図１１（ｂ）は、（ａ）の状態からさらに下側絞り羽根３および上側絞り羽根４を移動させた中間絞りの状態である。下側絞り羽根３の開口形成部８と上側絞り羽根４の開口形成部１３とにより形成される開口領域４０が略ひし形の状態となる。この状態では、開口領域４０は、光通過孔２４の内側に位置する。この状態においても、依然として、光学フィルタ３４は、開口領域４０の外側に位置している。
【００８９】
図１１（ｃ）は、（ｂ）の状態からさらに下側絞り羽根３および上側絞り羽根４を移動させた状態である。光通過孔２４の領域内で下側絞り羽根３の開口形成部８と上側絞り羽根４の開口形成部１３とにより形成される略ひし形（開口領域４０）がさらに小さな状態となる。この状態では、カム穴６ｃ内での駆動軸１２ｂの移動により光学フィルタ３４の一部（内縁部３４ａ）が開口領域４０内に入ってくる。開口領域４０のその他の部分は光りが素通しとなる。
【００９０】
図１１（ｄ）は、最小絞り状態を示している。このとき、図９に示した駆動手段２９のアーム２１の左側連結ピン２２ａが斜め上方に、右側連結ピン２２ｂが斜め下方に位置する。これに伴い、下側絞り羽根３がその移動範囲における上端に、上側絞り羽根４がその移動範囲における下端にそれぞれ位置する。この状態では、開口領域４０は光通過孔２４の中心付近に位置する小さい略ひし形となる。この状態では、開口領域４０内のすべての領域を光学フィルタ３４が覆うことになる。
【００９１】
以上のように、実施の形態４の光量調節装置では、最大絞り状態において、光学フィルタ３４の一部が光通過孔２４に進入せず、十分な光量を確保できる。また、光学フィルタ３４が下側絞り羽根３と連動して駆動するようになっているため、それらを駆動するための動力源が１つの駆動モータのみで足りる。したがって、動力源を配置するためのスペースは最小限でよい。さらに、光学フィルタ３４の移動領域が下側絞り羽根３の移動領域内にある。したがって、装置の上下方向は下側絞り羽根３が移動可能なスペースが確保できればよいため、装置の小型化を達成できる。
【００９２】
また、光学フィルタとして赤外カットフィルタを用いる場合、最小絞りの付近で光通過孔２４部分にこの赤外カットフィルタを進入させれば赤外光を効果的にカットできるようになる。上記構成によればこの赤外カットフィルタを簡単な構成で出し入れできるようになる。
【００９３】
以上、本発明の各実施の形態を図面に沿って説明した。上述した各実施の形態では、最大絞りから最小絞りに至る動作を説明し、光学フィルタが光通過孔に進入する構成を説明したが、逆に最小絞りから最大絞りに至る動作は逆の動作でよく説明を割愛した。この場合、光学フィルタは光通過孔に進入した状態から待避する状態に移行する。そして、本発明はこれら各実施の形態に示した事項に限定されず、特許請求の範囲の記載に基づいてその変更、改良等が可能であることは云うまでもない。例えば、各光学フィルタまたは駆動羽根にはカム穴を形成することにより回動可能にしているが、各光学フィルタまたは駆動羽根が回動可能であればカム穴ではなく他の手段を選択してもよい。
【００９４】
【発明の効果】
上述のように、本発明の光量調節装置によれば、光学フィルタは絞り羽根と連動して絞り開口に対し進退するため、絞り羽根を駆動するための動力源を用いて光学フィルタを同時に進退させることができるようになる。これにより、変化する絞り開口の大きさに対して光学フィルタが占める割合を連続的に可変できるようになるという効果を奏する。特に、中間絞りから最小絞りにかけて光学フィルタの進退量を適宜設定でき、シェーディングの抑制効果を得ることができるようになる。
【００９５】
また、光学フィルタ用の動力源が不要であり、既存の絞り羽根要の動力源を用いて光学フィルタを進退できるため駆動源の設置スペースは増大しない。さらに、前記各光学フィルタの移動領域が前記各絞り羽根の移動領域内であるため、装置の上下方向の大きさを前記各絞り羽根が移動可能なスペース内に納めることができ、小型の装置のまま上記効果を得ることができるようになる。また、最大絞り状態において、光学フィルタの一部が光通過孔に進入せず、十分な光量を確保できる。
【図面の簡単な説明】
【図１】本発明の実施の形態１にかかる光量調節装置の構成を示す分解斜視図である。
【図２】実施の形態１の光量調節装置を示す正面図である。
【図３】実施の形態１の光量調節装置の絞り動作を説明するための動作図である。
【図４】本発明の実施の形態２にかかる光量調節装置を示す正面図である。
【図５】実施の形態２の光量調節装置の絞り動作を説明するための動作図である。
【図６】本発明の実施の形態３にかかる光量調節装置の構成を示す分解斜視図である。
【図７】実施の形態３にかかる光量調節装置を示す正面図である。
【図８】実施の形態３の光量調節装置の絞り動作を説明するための動作図である。
【図９】本発明の実施の形態４にかかる光量調節装置の構成を示す分解斜視図である。
【図１０】実施の形態４にかかる光量調節装置を示す正面図である。
【図１１】実施の形態４の光量調節装置の絞り動作を説明するための動作図である。
【符号の説明】
１  絞りホルダ
２  下側光学フィルタ
３  下側絞り羽根
４  上側絞り羽根
５  上側光学フィルタ
２ａ，５ａ，３０ａ，３１ａ，３４ａ  内縁部
６ａ，６ｂ，６ｃ，１８ａ，１８ｂ  カム穴
７，１９  回転中心穴
８，１３  開口形成部
９ａ，９ｂ，１１，１４，１５ａ，１５ｂ  直進ガイド穴
１０，１７  回転連結穴
１２ａ，１２ｂ，１６ａ，１６ｂ  駆動軸
２０  回転レバー
２１  アーム
２２ａ  左側連結ピン
２２ｂ  右側連結ピン
２３  駆動取付部
２４  光通過孔
２５ａ，２５ｂ，２８ａ  回転軸
２６ａ，２６ｂ  羽根ガイドピン
２７  駆動モータ取付部
２８  駆動モータ
２９  駆動手段
３０  下側駆動羽根
３１  上側駆動羽根
３２，３３，３４  光学フィルタ
４０  開口領域
【図１】
2004205557.tif 000003
【図２】
2004205557.tif 000004
【図３】
2004205557.tif 000005
【図４】
2004205557.tif 000006
【図５】
2004205557.tif 000007
【図６】
2004205557.tif 000008
【図７】
2004205557.tif 000009
【図８】
2004205557.tif 000010
【図９】
2004205557.tif 000011
【図１０】
2004205557.tif 000012
【図１１】
2004205557.tif 000013